(57)【特許請求の範囲】
【請求項１】
お客様を立食形式のテーブルに案内するステップと、お客様からステーキの量を伺うステップと、伺ったステーキの量を肉のブロックからカットするステップと、カットした肉を焼くステップと、焼いた肉をお客様のテーブルまで運ぶステップとを含むステーキの提供方法を実施するステーキの提供システムであって、上記お客様を案内したテーブル番号が記載された札と、上記お客様の要望に応じてカットした肉を計量する計量機と、上記お客様の要望に応じてカットした肉を他のお客様のものと区別する印しとを備えることを特徴とする、ステーキの提供システム。
【請求項２】
上記お客様の要望に応じてカットした肉を焼くためのガス又は電気で熱した溶岩及び／又は炭火と、該ガス又は電気で熱した溶岩及び／又は炭火で焼いた肉を保温するための電磁誘導加熱により所定温度に加熱された鉄皿とを更に備えることを特徴とする、請求項１に記載のステーキの提供システム。
【請求項３】
上記お客様を案内するテーブルに置かれた多数のフォークとナイフを更に備えることを特徴とする、請求項１又は２に記載のステーキの提供システム。
【請求項４】
上記お客様を案内するテーブルに置かれた温かいステーキソースが入れられたポットを更に備えることを特徴とする、請求項１〜３のいずれかに記載のステーキの提供システム。
【請求項５】
上記お客様を案内するテーブルが複数人用であり、該テーブルを仕切る可動式パーティションを更に備えることを特徴とする、請求項１〜４のいずれかに記載のステーキの提供システム。
【請求項６】
上記可動式パーティションが、高さが２５０ｍｍ以下の低い障壁と、該障壁を自立させる脚とから構成されていることを特徴とする、請求項５に記載のステーキの提供システム。
【発明の詳細な説明】
【技術分野】
【０００１】
本発明は、ステーキの提供システムに関するもので、特に、お客様に、好みの量のステーキを、安価に提供するステーキの提供システムに関するものである。
【背景技術】
【０００２】
飲食店において提供されるステーキは、ゆったりと椅子に座り、会話を楽しみながら食すのが一般的であり、どうしても場所代、人件費がかかり、高価なものとなっていた。また、提供されるステーキの大きさは、定量で決まっていたり、選べる場合であっても、１００ｇ、１５０ｇ、２００ｇと言ったように、その量が決められており、お客様が、自分の好みの量を、任意に思う存分食べられるものではなかった。
【発明の概要】
【発明が解決しようとする課題】
【０００３】
本発明は、上述した背景技術が有する課題に鑑み成されたものであって、その目的は、お客様に、好みの量のステーキを、安価に提供することにある。
【課題を解決するための手段】
【０００４】
上記した目的を達成するため、本発明は、次の〔１〕〜〔６〕に記載のステーキの提供システムとした。
〔１〕お客様を立食形式のテーブルに案内するステップと、お客様からステーキの量を伺うステップと、伺ったステーキの量を肉のブロックからカットするステップと、カットした肉を焼くステップと、焼いた肉をお客様のテーブルまで運ぶステップとを含むステーキの提供方法を実施するステーキの提供システムであって、上記お客様を案内したテーブル番号が記載された札と、上記お客様の要望に応じてカットした肉を計量する計量機と、上記お客様の要望に応じてカットした肉を他のお客様のものと区別する印しとを備えることを特徴とする、ステーキの提供システム。
〔２〕上記お客様の要望に応じてカットした肉を焼くためのガス又は電気で熱した溶岩及び／又は炭火と、該ガス又は電気で熱した溶岩及び／又は炭火で焼いた肉を保温するための電磁誘導加熱により所定温度に加熱された鉄皿とを更に備えることを特徴とする、上記〔１〕に記載のステーキの提供システム。
〔３〕上記お客様を案内するテーブルに置かれた多数のフォークとナイフを更に備えることを特徴とする、上記〔１〕又は〔２〕に記載のステーキの提供システム。
〔４〕上記お客様を案内するテーブルに置かれた温かいステーキソースが入れられたポットを更に備えることを特徴とする、上記〔１〕〜〔３〕のいずれかに記載のステーキの提供システム。
〔５〕上記お客様を案内するテーブルが複数人用であり、該テーブルを仕切る可動式パーティションを更に備えることを特徴とする、上記〔１〕〜〔４〕のいずれかに記載のステーキの提供システム。
〔６〕上記可動式パーティションが、高さが２５０ｍｍ以下の低い障壁と、該障壁を自立させる脚とから構成されていることを特徴とする、上記〔５〕に記載のステーキの提供システム。
【発明の効果】
【０００５】
上記した本発明に係るステーキの提供システムによれば、お客様が要望する量のステーキを、ブロックからカットして提供するものであるため、お客様は、自分の好みの量のステーキを、任意に思う存分食べられるものとなる。また、お客様は、立食形式で提供されたステーキを食するものであるため、少ない面積で客席を増やすことができ、またお客様の回転、即ち客席回転率も高いものとなる。
上記したようなことから、本発明に係るステーキの提供システムは、お客様に、好みの量のステーキを、安価に提供することができるものとなる。
【図面の簡単な説明】
【０００６】
【図１】本発明に係るステーキの提供システムにおいて使用される立食形式のテーブルの一実施の形態を示した斜視図である。
【図２】本発明に係るステーキの提供システムにおいて肉のブロックからお客様の要望するステーキの量をカットする状態を示した斜視図である。
【図３】本発明に係るステーキの提供システムにおいてカットした肉に他のお客様のものと混同が生じないように印しを付した（具体的には、テーブル番号等が記載されたシールを貼った）状態を示した斜視図である。
【図４】本発明に係るステーキの提供システムにおいてテーブルに予め用意されたフォークとナイフを示した斜視図である。
【図５】本発明に係るステーキの提供システムにおいてテーブルに予め用意された温かいステーキソースが入れられたポットを示した斜視図である。
【図６】本発明に係るステーキの提供システムにおいて使用される可動式パーティションの一実施の形態を示した斜視図である。
【図７】本発明に係るステーキの提供システムにおいて使用される可動式パーティションの他の実施の形態を示した斜視図である。
【図８】本発明に係るステーキの提供システムにおいて複数人用のテーブルを可動式パーティションによって仕切った状態を示した平面図である。
【発明を実施するための形態】
【０００７】
以下、上記した本発明に係るステーキの提供システム、及び該ステーキの提供システムにおいて使用される可動式パーティションの実施の形態を、詳細に説明する。
【０００８】
本発明に係るステーキの提供システムは、お客様を立食形式のテーブルに案内するステップと、お客様からステーキの量を伺うステップと、伺ったステーキの量を肉のブロックからカットするステップと、カットした肉を焼くステップと、焼いた肉をお客様のテーブルまで運ぶステップとを、少なくとも有するステーキの提供方法を実施するステーキの提供システムである。
【０００９】
本発明においては、お客様を案内するテーブルは、立食形式、即ち座るための椅子を用意しないテーブルのみの席とし、該席にお客様を案内する。
この際、例えばテーブルが５人用のテーブルであり、案内するお客様が３人グループである場合には、該３人のお客様によって５人用のテーブルが占有されてしまわないように、お客様を案内する直前或いは案内した直後に、後に詳述する可動式パーティションにより５人用のテーブルを３人のスペースと２人のスペースとに仕切り、後に該テーブルにも、お客様を案内できるようにスペースを確保しておく。
【００１０】
お客様を案内するテーブルには、図１に示したように、テーブル番号が付されていると共に、該テーブル番号を記載した札、例えば図示したように、２２番のテーブルＴに２２番の札Ｈを置いておく。
テーブルに案内したお客様に対し、先ず接客スタッフは、ステーキ以外の注文をメニュー表の中から伺う。メニュー表には、ドリンク、サラダ、ライス程度を掲載し、メインであるステーキを主に食べて頂くものとする。ステーキ以外の注文を伺い、テーブル番号が示されたオーダー票を作成した後、お客様に、上記テーブル番号を記載した札Ｈを持って、カットステージまで移動して頂く。
【００１１】
カットステージにおいては、お客様からテーブル番号が記載された札Ｈを受け取ると共に、ステーキの種類及び量、例えばサーロイン４００ｇ、或いはリブロース３５０ｇといった、お客様が要望するステーキの種類及び量をグラム単位で伺う。
そして、伺ったステーキの量をカットする前に、予めお客様に「多少前後しますが宜しいでしょうか？」と必ずお聞きし、了承を得たのちに、図２に示したように、お客様から伺ったステーキの量を肉のブロックＢからカットし、そのカットした肉Ａを、お客様の目の前で計量機に乗せ、計量機が示した数値、例えばリブロース３６２ｇについて、お客様に確認して頂くと共に、そのステーキの量について了承を得る。
【００１２】
ステーキには、予め種類に応じてグラム単価、例えばサーロイン１グラム６円（税抜）、リブロース１グラム５円（税抜）といったように価格を決めておき、上記計量機が示した数値、例えばリブロース３６２ｇの場合は、３６２（ｇ）×５（円／ｇ）＝１，８１０（円）をステーキＡの料金とする。
そして、計量機から打ち出された、ステーキの種類及び量、価格、テーブル番号が記された２枚のシールの内の一枚をステーキのオーダー票とし、先のステーキ以外のオーダー票に貼着することにより保管し、お客様には、案内したテーブルに戻って頂く。
【００１３】
お客様の要望に応じてカットした肉Ａには、図３に示したように、先の計量機から打ち出されたもう一枚のステーキの種類及び量、テーブル番号等が記されたシールＳを付し、他のお客様のものと混同が生じない状態として、焼きのステップに移す。なお、この混同が生じないようにカットした肉Ａに付すシールＳに変えて、テーブル番号が記載された旗をカットした肉Ａに刺す等の方策により、混同を防止する印しとしても良い。
肉を焼くステップは、ガス又は電気で熱した溶岩及び／又は炭火焼きであり、これらから出る遠赤外線によって肉を原則としてレアの状態（要望によりミディアム、ウエルダンの状態）で焼き、その後、電磁誘導加熱により２００〜３５０℃、より好ましくは２２０〜３００℃に加熱した鉄皿に乗せる。加熱した鉄皿には、予めタマネギとコーンを乗せておき、その上に焼いた肉を乗せることによって、肉の焼き過ぎを防ぐ。
【００１４】
ガス又は電気で熱した溶岩及び／又は炭火で焼かれ、加熱した鉄皿に乗せられたステーキを、ライス等の他のオーダー品と共に（ドリンク、サラダについては先に）、保管したオーダー票でその商品を確認し、オーダー票と共にお客様のテーブルに運ぶ。
テーブルには、図４に示したように、予め多くのフォークとナイフを用意しておき、お客様に、該フォークとナイフを使って提供したステーキ等を立食形式で食べて頂く。また、テーブルには、図５に示したように、一般的に置かれている塩、コショウの入れ物の他に、温かいステーキソースを入れたポットを用意しておき、お客様に、これらを好みに応じてステーキに自由にかけて食べて頂く。
【００１５】
食事が終了したら、お客様には、オーダー票を持ってレジまで移動して頂き、提供された料理のお支払いをして頂く。スタッフは、テーブルに残された鉄皿等の後片付け、清掃、即ちバッシングを行い、テーブル番号が記載された札Ｈを該テーブルに置き、そして、次の新たなお客様をテーブルにご案内する。
【００１６】
本発明に係るステーキの提供システムは、上述したものであり、特に、お客様が要望する量のステーキを、ブロックからカットして提供するものであるため、お客様は、自分の好みの量のステーキを、任意に思う存分食べられるものとなる。
また、お客様の要望に応じてカットした肉を計量機に乗せ、お客様にその量をご確認頂くと共に、グラム単位で料金を算出しているため、このステーキの提供システムは、明朗な料金設定のものとなる。
また、お客様は、立食形式で提供されたステーキを食するものであるため、少ない面積で客席を増やすことができ、またお客様の回転、即ち客席回転率も高いものとなる。
更に、お客様を案内したテーブルに番号を記載した札を置き、該札を持ってカットステージまでお客様に移動して頂き、そこで好みの量のステーキを伺う、また、お客様を案内するテーブルに予め多くのフォークとナイフが用意しておく、更にはステーキ以外のメニューをドリンク、サラダ、ライス程度にしぼる等の方策により、スタッフへの負担が軽減でき、少ない人数での接客作業を実現できる。
また、肉を焼くステップが、遠赤外線が多く出るガス又は電気で熱した溶岩及び／又は炭火焼きであり、該ガス又は電気で熱した溶岩及び／又は炭火で焼いた肉を電磁誘導加熱により所定温度に加熱した鉄皿に乗せ、お客様のテーブルまで運ぶ、また、お客様を案内するテーブルに予め温かいステーキソースが入れられたポットを用意しておく等の方策により、お客様には、いつまでも温かい状態でステーキを食べて頂くことができる。
上記したようなことから、本発明に係るステーキの提供システムによれば、お客様に、好みの量のステーキを、美味しく、安価に提供することができるものとなる。
【００１７】
続いて、上記した本発明に係るステーキの提供システムにおいて使用する可動式のパーティションの実施の形態について、詳細に説明する。
【００１８】
本発明の可動式パーティションは、高さが２５０ｍｍ以下、好ましくは１５０〜２２０ｍｍの低い障壁と、該障壁を自立させる脚とから構成されている。
【００１９】
図６に示した実施の形態に係る可動式パーティション１０は、高さ２００ｍｍ、長さ２５０ｍｍ、厚さ２０ｍｍで、上端の前方及び後方にアールが施された障壁１１と、該障壁１１を自立させる、幅１５０ｍｍ、長さ２５０ｍｍ、厚さ２ｍｍの脚１２とから構成されている。障壁１１は、木材から成る下地に、熱、傷に強いメラミン化粧板を貼り合わせたものである。脚１２は、鉄板表面に、メラミン樹脂を焼付け塗装したものである。但し、これらの材質のものに限定されるものではない。
【００２０】
図７に示した実施の形態に係る可動式パーティション２０は、高さ２００ｍｍ、長さ２５０ｍｍ、厚さ２０ｍｍで、上端の前方のみにアールが施された障壁２１と、該障壁２１の後端下部に固定された、幅２００ｍｍ、高さ５０ｍｍ、厚さ２ｍｍの脚２２とから構成されている。この障壁及び脚の材質は、上記の実施の形態のものと同様のものを使用しているが、これらの材質のものに限定されるものではない。
【００２１】
上記した本発明の可動式パーティションは、複数人用の立食形式のテーブルを仕切るために用いられる。例えばテーブルが５人用のテーブルであり、案内するお客様が３人グループである場合には、お客様を案内する直前或いは案内した直後に、図８に示すように、本発明の可動式パーティションＰにより、５人用のテーブルＴを３人のスペース（図において実線の丸で示した３人のスペース）と、２人のスペース（図において点線で示した２人のスペース）とに仕切る。
【００２２】
本発明に係る可動式パーティションは、複数人用のテーブルを上記したように仕切ることができるため、後のお客様を、該テーブルの空きスペースに、躊躇することなくご案内することができるものとなる。
また、該可動式パーティションは、高さが２５０ｍｍ以下、好ましくは１５０〜２２０ｍｍの低い障壁と、該障壁を自立させる脚とから構成されているものであるため、お客様に過度の圧迫感を与えるものではなく、また邪魔となり難いものである。
【００２３】
以上、本発明に係るステーキの提供システム、及び該ステーキの提供システムにおいて使用される可動式パーティションの実施の形態を説明したが、本発明は、既述の実施の形態に限定されるものではなく、特許請求の範囲に記載した本発明の技術的思想の範囲内において、種々の変更が可能であることは当然である。
【産業上の利用可能性】
【００２４】
本発明に係るステーキの提供システムは、お客様に、好みの量のステーキを、安価に提供することができるものであるので、外食産業、特にフランチャイズチェーン店におけるステーキの提供システムとして、好適に利用することができるものである。
【符号の説明】
【００２５】
Ｔ    テーブル
Ｈ    札
Ａ      カットした肉
Ｂ      肉のブロック
Ｓ    シール
１０、２０、Ｐ    可動式パーティション
１１、２１    障壁
１２、２２    脚
【図１】
0005946491.tif 000002
【図２】
0005946491.tif 000003
【図３】
0005946491.tif 000004
【図４】
0005946491.tif 000005
【図５】
0005946491.tif 000006
【図６】
0005946491.tif 000007
【図７】
0005946491.tif 000008
【図８】
0005946491.tif 000009